(57)【要約】  被遠隔制御装置に向けられたリモコン装置へと被遠隔制御装置によって放射される光信号を通して被遠隔制御装置識別子を送信することによって、リモコン装置は、通信ネットワークを介して被遠隔制御装置をアドレス指定し、被遠隔制御装置とペアリングされることができる。ペアリングされるべき被遠隔制御装置へとリモコン装置が向けられる必要があるだけであるので、ペアリングは直感的である。リモコン装置へと光信号を介してチャレンジを送信する照合ユニットが、被遠隔制御装置に追加されることができる。リモコン装置は、応答を生成して、照合ユニットによる照合のために、被遠隔制御装置へと応答を送信する。照合が成功の場合、ペアリングが許可される。チャレンジが光信号からのみ抽出されることができるので、被遠隔制御装置が位置する空間に対するアクセスが被遠隔制御装置の制御を得るために必要とされる。通信ネットワーク上のみでのハックは、通信ネットワークでチャレンジが利用可能でないので、防止される。
2017522817.tif 000002
【特許請求の範囲】
【請求項１】
通信インタフェース及び光放射源を有する被遠隔制御装置、
通信インタフェースを有するリモコン装置であって、前記通信インタフェースを介して通信チャネル上で前記被遠隔制御装置に遠隔制御データを送信するリモコン装置、
を有し、前記リモコン装置が光検出器をさらに有する、ユーザ・インタラクション・システムであって、
前記被遠隔制御装置が、前記光放射源を通して披遠隔制御装置識別子を放射し、
前記リモコン装置が、前記光検出器を通して前記被遠隔制御装置識別子を受信し、
前記被遠隔制御装置および／または前記リモコン装置が、前記被遠隔制御装置識別子を用いて前記通信チャネルを設定し、
前記被遠隔制御装置がさらに、前記光放射源を介して前記リモコン装置にチャレンジ情報を送信する照合ユニットを有し、
前記リモコン装置が、前記光検出器を介して前記チャレンジ情報を受信した後にペアリング・モードに入り、前記被遠隔制御装置による応答の照合のために前記通信チャネルを介して前記遠隔制御装置へと応答情報を送信し、
前記被遠隔制御装置が、肯定的な照合の後にペアリング・モードに入る、
ユーザ・インタラクション・システム。
【請求項２】
一セットの被遠隔制御装置の中で、前記被遠隔制御装置識別子は固有のアドレスであり、前記固有のアドレスは好ましくはMACアドレスである、請求項１に記載のユーザ・インタラクション・システム。
【請求項３】
前記リモコン装置は、当該リモコン装置の光検出器の視野の中にあり、かつ、ペアリング・モードである被遠隔制御装置へのペアリング動作を自動的に開始する、請求項１または請求項２に記載のユーザ・インタラクション・システム。
【請求項４】
前記リモコン装置は、当該リモコン装置の光検出器の視野の中にあり、かつ、ペアリングされていない被遠隔制御装置へのペアリング動作を自動的に開始する、請求項１または請求項２に記載のユーザ・インタラクション・システム。
【請求項５】
ペアリングされたリモコン装置から第２リモコン装置への複製プロセスを開始することによって、前記被遠隔制御装置への前記第２リモコン装置のペアリングをする、請求項１から請求項４のいずれか一項に記載のユーザ・インタラクション・システム。
【請求項６】
前記リモコン装置が、第１リモコン装置におけるデータ変化を第２リモコン装置に複製する、請求項５に記載のユーザ・インタラクション・システム。
【請求項７】
通信インタフェースを有するリモコン装置であって、
当該リモコン装置は、前記通信インタフェースを介して通信チャネル上で被遠隔制御装置へと遠隔制御データを送信し、
当該リモコン装置は、光検出器をさらに有し、
当該リモコン装置は、
前記光検出器を通して前記被遠隔制御装置から被遠隔制御装置識別子を受信し、
前記被遠隔制御装置識別子を用いて前記通信チャネルを設定し、
前記光検出器を介してチャレンジ情報を受信した後にペアリング・モードに入り、前記被遠隔制御装置による応答の照合のために前記通信チャネルを介して前記被遠隔制御装置へと応答情報を送信し、
前記被遠隔制御装置による前記応答の肯定的な照合の後に前記被遠隔制御装置とペアリングする、
ことを特徴とするリモコン装置。
【請求項８】
一セットの被遠隔制御装置の中で、前記被遠隔制御装置識別子は固有のアドレスであり、前記固有のアドレスは好ましくはMACアドレスである、請求項７に記載のリモコン装置。
【請求項９】
前記リモコン装置は、当該リモコン装置の光検出器の視野の中にあり、かつ、ペアリング・モードである被遠隔制御装置へのペアリング動作を自動的に開始する、請求項７または請求項８に記載のリモコン装置。
【請求項１０】
前記リモコン装置は、当該リモコン装置の光検出器の視野の中にあり、かつ、ペアリングされていない被遠隔制御装置へのペアリング動作を自動的に開始する、請求項７または請求項８に記載のリモコン装置。
【請求項１１】
前記リモコン装置は、当該リモコン装置から第２リモコン装置への複製プロセスを開始する、請求項７から請求項１０のいずれか一項に記載のリモコン装置。
【請求項１２】
前記リモコン装置が、当該リモコン装置におけるデータ変化を第２リモコン装置に複製する、請求項１１に記載のユーザ・インタラクション・システム。
【請求項１３】
通信インタフェースおよび光放射源を有する被遠隔制御装置であって、当該被遠隔制御装置は、通信チャネル上で前記通信インタフェースを介して当該被遠隔制御装置へとリモコン装置により送信される遠隔制御データによって制御され、前記リモコン装置は光検出器を有し、前記被遠隔制御装置は、前記リモコン装置が被遠隔制御装置識別子を用いて前記通信チャネルを設定することを可能にするために前記リモコン装置へと前記光放射源を通して前記被遠隔制御装置識別子を放射し、前記被遠隔制御装置は、前記光放射源を介して前記リモコン装置へとチャレンジ情報を送信し、応答の照合のために前記通信チャネルを介して前記リモコン装置から応答情報を受信する照合ユニットを有し、前記被遠隔制御装置は、肯定的な照合の後にペアリング・モードに入る、被遠隔制御装置。
【請求項１４】
一セットの被遠隔制御装置の中で、前記被遠隔制御装置識別子は固有のアドレスであり、前記固有のアドレスは好ましくはMACアドレスである、請求項１３に記載の被遠隔制御装置。
【請求項１５】
前記被遠隔制御装置は、前記被遠隔制御装置識別子を放射したときにペアリング・モードに入る、請求項１３または請求項１４に記載の被遠隔制御装置。
【発明の詳細な説明】
【技術分野】
【０００１】
本発明は、被遠隔制御装置及び複数の被遠隔制御装置を制御することが可能なリモコン装置（remote control）に関する。
【背景技術】
【０００２】
住宅中の各々の被遠隔制御装置のために別々のリモコン装置を用いなければならないことによって、複数のリモコン装置が散らかり、制御される装置のための適切なリモコン装置をユーザが選択しなければならない。これを克服するために、複数の装置をサポートし、制御されるべき装置をリモコン装置のボタンを通して選択した後に、選択された装置のための適切な符号を放射するようにプログラムされることができるリモコン装置が開発されている。
【０００３】
複数の装置が制御されるスマート・ホーム環境において増加した複雑度のために、リモコン装置は、多くの場合、被遠隔制御装置への、及び、被遠隔制御装置からの、データ送信のために無線周波接続を用いる。
【０００４】
無線周波接続を用いるには、リモコン装置及び被遠隔制御装置のペアリングを必要とする。前記リモコン装置に多数のRF被制御装置を正しくペアリングすることができるようにするという課題は、素人にとって手ごわいタスクである。
【０００５】
任天堂Ｗｉｉゲーム・コンソールは、リモコン装置がゲーム・コンソールへのペアリングを必要とする、そのようなリモコン装置及び被遠隔制御装置システムの例である。
【０００６】
このペアリングを達成するために、ゲーム・コンソール及びリモコン装置でボタンが同時に押されて、装置をペアリングするリクエストを示し、同時に、どの装置（ボタンが同時に押された装置）がペアリングされるべきかを示す。
【０００７】
リモコン装置及び被遠隔制御装置の両方のボタンを押す必要があることは、わずらわしい。
【０００８】
特許出願公開US2014/0064736A1は、情報処理装置を開示し、この情報処理装置は、他の装置から放射された光信号を受信することが可能な受光部、受信された光信号に基づいてネットワーク上の他の装置を特定するための識別子情報を取得することが可能なコントローラ、及び、取得された識別子情報に基づいて他の装置との接続を確立することが可能な通信セクションを含む。
【０００９】
文献US2010/0317332A1は、テレビまたはパーソナル・コンピュータのような電子装置を遠隔制御するために使用される携帯電話のようなモバイル装置に関する。設定フェーズにおいて、モバイル装置は、電子装置の画像を獲得し、画像の大きさによって影響を受けない特徴を特定して記憶する。バーチャル・キーパッド構成のようなユーザインタフェース構成、通信プロトコルは、記憶されたデータと関連付けられることができる。続いて、実行フェーズにおいて、電子装置の他の画像が獲得されて、候補を特定するためにライブラリ中に記憶された特徴と比較される。応答して、関連するユーザインタフェース構成及び通信プロトコルが、電子装置を制御するために実現される。ポーリング及び応答プロセスにおいて、モバイル装置は、電子装置のディスプレイの画像を獲得して、それを電子装置によって送信された画像データと比較する。
【発明の概要】
【発明が解決しようとする課題】
【００１０】
この短所を克服し、リモコン装置及び被遠隔制御装置の容易なペアリングを可能にすることが本発明の目的である。
【００１１】
被遠隔制御装置へのリモコン装置の許可されていないアクセスを防止することが本発明の更なる目的である。
【課題を解決するための手段】
【００１２】
本発明の目的は、請求項1のユーザ・インタラクション・システム、請求項7のリモコン装置及び請求項13の被遠隔制御装置によって解決される。有利な実施の形態は、従属請求項において定められる。
【００１３】
本発明による遠隔制御は、被遠隔制御装置が、光放射源により被遠隔制御装置識別子を放射するように用意され、リモコン装置が、光検出器により被遠隔制御装置識別子を受信するように用意され、リモコン装置及び／又は被遠隔制御装置が、被遠隔制御装置識別子を用いて通信チャネルを設定するように用意されることを特徴とする。
【００１４】
光放射源及び光受信機を通して被遠隔制御装置識別子を送信することによって、無線接続のような他の通信チャネル上でのペアリングは、被遠隔制御装置識別子が受信されるために、リモコン装置が、ペアリングされるべき被遠隔制御装置に対して単に向けられさえすればよいので、単純化される。これは、どの装置がペアリングされるべきかの選択を直感的なものにする。リモコンの光受信機（例えばリモコン装置の正面に組み込まれるカメラ）が、限られた画角を有するので、この限られた角度の範囲内の装置によって放射される信号のみが受信され、リモコンが向けられた装置の被遠隔制御装置識別子のみが受信される。被遠隔制御装置識別子があることで、リモコン装置及び被遠隔制御装置がペアになることが可能である。ユーザはもはや、従来必要とされたような、ペアリングするために両方の装置のボタンを同時に操作することは必要ない。
【００１５】
ユーザ・インタラクション・システムの実施の形態において、被遠隔制御装置識別子は、一セットの被遠隔制御装置の中で固有のアドレスである。アドレスが被遠隔制御装置のセットの内で固有である限り、リモート・コントローラは、リモコン装置がペアリングされるべき被遠隔制御装置を特定することができ、ペアリング手順を開始することができる。
【００１６】
ユーザ・インタラクション・システムの更なる実施の形態において、アドレスはMACアドレスである。
【００１７】
メディアアクセス制御アドレス（MACアドレス）は、物理的ネットワーク・セグメント上の通信のためにネットワーク・インタフェースに割り当てられる固有の識別子である。MACアドレスは、多くの場合、ネットワーク・インタフェース・コントローラ（NIC）の製造者によって割り当てられて、そのハードウェア中に記憶され、そのネットワーク・インタフェースを含む装置に固有である。無線ネットワークのようなブロードキャスト・ネットワーク上で、MACアドレスは、一意的にそのセグメント上の各々のノードを特定して、フレームが特定のホストのためにマークされることを可能にする。それは、したがって、上位レイヤ・プロトコルが複雑な、機能するネットワークを生成するために依存する、大部分のリンク層(OSI Layer 2)ネットワークの基準を形成する。リモコン装置は、被遠隔制御装置と通信するために、被遠隔制御装置（となるべき装置）から受信されるMACアドレスを用いることができる。
【００１８】
システムの実施の形態において、リモコン装置は、リモコン装置の光検出器の視野内にあり、かつ、ペアリング・モードにある被遠隔制御装置へのペアリング動作を自動的に開始する。
【００１９】
光受信機を介して被遠隔制御装置識別子/アドレスを受信した後に、リモコン装置は、被遠隔制御装置と通信することができ、被遠隔制御装置がペアリング・モードにあるかどうかを確認することができる。もしそうならば、ペアリングが実行される。
【００２０】
ペアリングは、利用可能な被遠隔制御装置識別子(例えばそのMACアドレス)を得て自動的に実行されることができるので、リモコン装置を被遠隔制御装置に向けることの他のいかなる他のユーザからのインタラクションも必要ではない。
【００２１】
システムの更なる実施の形態において、リモコン装置は、リモコン装置の光検出器の視野内にあり、かつ、ペアリングされていない被遠隔制御装置へのペアリング動作を自動的に開始する。
【００２２】
光受信機を介して被遠隔制御装置識別子/アドレスを受信した後に、リモコン装置は、被遠隔制御装置と通信することができ、被遠隔制御装置がペアリングされていないかを確認することができる。もしそうならば、ペアリングが実行され、リモコン装置は、その被遠隔制御装置とペアリングされる最初のリモコン装置になる。
【００２３】
被遠隔制御装置が通信チャネルを介してアドレス指定されることができるように例えば利用可能なMACアドレスを得てペアリングが自動的に実行されることができるので、リモコン装置を被遠隔制御装置に向けることの他のいかなる他のユーザからのインタラクションも必要ではない。
【００２４】
システムの更なる実施の形態において、システムは、ペアリングされたリモコン装置から第２リモコン装置への複製プロセスを開始することによって、被遠隔制御装置へと第２リモコン装置をペアリングするように用意される。
【００２５】
第１リモコン装置中のデータを第２リモコン装置に複製することによって、第２リモコン装置は、第１リモコン装置がペアリングされた各々の被遠隔制御装置に個別に向けられる必要はなく、ユーザの多くの作業を省く。
【００２６】
例えば、ペアリングされるべき被遠隔制御装置から第１リモコン装置が受信したMACアドレスを複製することは、第２リモコン装置が、更なるユーザ・インタラクションなしで、個々のペアリング・プロセスにおいて同じ被遠隔制御装置とペアリングすることを可能にする。第１リモコン装置中の全てのデータを複製することによって、被遠隔制御装置は、もはや２つのリモコン装置を区別することができず、第２リモコン装置がペアリングされていると考えて、このリモコン装置からのデータを同様に受け入れるので、第２リモコン装置は、第１リモコン装置の代わりに用いられることができる。
【００２７】
システムの実施の形態において、リモコン装置は、第１リモコン装置におけるデータ変化を第２リモコン装置に複製するように用意される。
【００２８】
例えば特定の被遠隔制御装置にそれをペアリングすることによって第１リモコン中のデータを変更するときに、第２リモコン装置は、第１リモコン装置において変更されたのと同じ態様で同じデータを更新する。これは、例えば被遠隔制御装置を追加するときに、ユーザは、それを１つのリモコン装置のみとペアリングする必要があり、その後、この変更されたデータを他のリモコン装置に複製した後は、他のリモコン装置は、新たに追加された被遠隔制御装置に同様にペアリングされていることを確実にする。
【００２９】
更なる実施の形態において、被遠隔制御装置は、光放射源を介してリモコン装置にチャレンジ情報を送信するように用意される照合ユニットを含み、リモコン装置は、光検出器を介してチャレンジ情報を受信した後にペアリングにモードに入り、被遠隔制御装置による応答の照合のために通信チャネルを介して被遠隔制御装置へ応答情報を送り返すように配置され、被遠隔制御装置は、肯定的な照合の後、ペアリング・モードに入るようにさらに用意される。
【００３０】
リモコン装置の身元の照合は、被遠隔制御装置によって提供されるチャレンジに対するリモコン装置による応答が照合に失敗する場合、被遠隔制御装置への許可されていないアクセスを被遠隔制御装置が防止することを可能にする。被遠隔制御装置の光放射源及びリモコン装置の受信機を介してこのチャレンジを送信することによって、他の通信チャネルへのアクセスのみを有する場合に被遠隔制御装置への許可されていないアクセスを得ることは非常に困難となる。チャレンジは、光信号を介してのみ送信され、通信ネットワークを介しては利用可能ではないので、チャレンジを受信するために物理的アクセスが必要とされる。
【００３１】
本発明によるリモコン装置は、光検出器を通して被遠隔制御装置から被遠隔制御装置識別子を受信するように用意され、リモコン装置は、被遠隔制御装置識別子を用いて通信チャネルを設定するように用意される。
【００３２】
光受信機を介して被遠隔制御装置識別子/アドレスを受信した後に、リモコン装置は、被遠隔制御装置と通信することができ、被遠隔制御装置がペアリング・モードにあるかどうかを確認することができる。もしそうならば、ペアリングが実行される。
【００３３】
ペアリングは、利用可能な被遠隔制御装置識別子(例えばそのMACアドレス)を得て自動的に実行されることができるので、リモコン装置を被遠隔制御装置に向けることの他のいかなる他のユーザからのインタラクションも必要ではない。
【００３４】
リモコン装置の実施の形態において、被遠隔制御装置識別子は、一セットの被遠隔制御装置の中の固有のアドレスである。
【００３５】
アドレスが被遠隔制御装置のセットの内で固有である限り、リモート・コントローラは、リモコン装置がペアリングされるべき被遠隔制御装置を特定することができ、ペアリング手順を開始することができる。
【００３６】
リモコン装置の更なる実施の形態において、アドレスは、MACアドレスである。メディアアクセス制御アドレス（MACアドレス）は、物理的ネットワーク・セグメント上の通信のためにネットワーク・インタフェースに割り当てられる固有の識別子である。MACアドレスは、多くの場合、ネットワーク・インタフェース・コントローラ（NIC）の製造者によって割り当てられてそのハードウェア中に記憶され、そのネットワーク・インタフェースを含む装置に固有である。無線ネットワークのようなブロードキャスト・ネットワーク上で、MACアドレスは、一意的にそのセグメント上の各々のノードを特定して、フレームが特定のホストのためにマークされることを可能にする。それは、したがって、上位レイヤ・プロトコルが複雑な、機能するネットワークを生成するために依存する、大部分のリンク層(OSI Layer 2)ネットワークの基準を形成する。リモコン装置は、被遠隔制御装置と通信するために、被遠隔制御装置（となるべき装置）から受信されるMACアドレスを用いることができる。
【００３７】
更なる実施の形態において、リモコン装置は、リモコン装置の光検出器の視野内にあり、かつ、ペアリング・モードにある被遠隔制御装置へのペアリング動作を自動的に開始する。
【００３８】
光受信機を介して被遠隔制御装置識別子/アドレスを受信した後に、リモコン装置は、被遠隔制御装置と通信することができ、被遠隔制御装置がペアリング・モードにあるかどうかを確認することができる。もしそうならば、ペアリングが実行される。
【００３９】
ペアリングが、利用可能な被遠隔制御装置識別子(例えばそのMACアドレス)を得て自動的に実行されることができるので、リモコン装置を被遠隔制御装置に向ける他のいかなる他のユーザからのインタラクションも必要でない。
【００４０】
更なる実施の形態において、リモコン装置は、リモコン装置の光検出器の視野内にあり、かつ、ペアリングされていない被遠隔制御装置へのペアリング動作を自動的に開始する。
【００４１】
光受信機を介して被遠隔制御装置識別子/アドレスを受信した後に、リモコン装置は、被遠隔制御装置と通信することができ、被遠隔制御装置がペアリングされていないかを確認することができる。もしそうならば、ペアリングが実行され、リモコン装置は、その被遠隔制御装置とペアリングされる最初のリモコン装置になる。
【００４２】
被遠隔制御装置が通信チャネルを介してアドレス指定されることができるように例えば利用可能なMACアドレスを得てペアリングが自動的に実行されることができるので、リモコン装置を被遠隔制御装置に向けることの他のいかなる他のユーザからのインタラクションも必要ではない。
【００４３】
更なる実施の形態において、リモコン装置は、リモコン装置から第２リモコン装置への複製プロセスを開始するように用意される。
【００４４】
第１リモコン装置中のデータを第２リモコン装置に複製することによって、第２リモコン装置は、第１リモコン装置がペアリングされた各々の被遠隔制御装置に個別に向けられる必要はなく、ユーザの多くの作業を省く。例えば、ペアリングされるべき被遠隔制御装置から第１リモコン装置が受信したMACアドレスを複製することは、第２リモコン装置が、更なるユーザ・インタラクションなしで、個々のペアリング・プロセスにおいて同じ被遠隔制御装置とペアリングすることを可能にする。第１リモコン装置中の全てのデータを複製することによって、被遠隔制御装置は、もはや２つのリモコン装置を区別することができず、第２リモコン装置がペアリングされていると考えて、このリモコン装置からのデータを同様に受け入れるので、第２リモコン装置は、第１リモコンの代わりに用いられることができる。
【００４５】
更なる実施の形態において、リモコン装置は、リモコン装置におけるデータ変化を第２リモコン装置に複製するように用意される。
【００４６】
例えば特定の被遠隔制御装置にそれをペアリングすることによって第１リモコン中のデータを変更するときに、第２リモコン装置は、第１リモコン装置において変更されたのと同じ態様で同じデータを更新する。これは、例えば被遠隔制御装置を追加するときに、ユーザは、それを１つのリモコン装置のみとペアリングする必要があり、その後、この変更されたデータを他のリモコン装置に複製した後は、他のリモコン装置は、新たに追加された被遠隔制御装置に同様にペアリングされていることを確実にする。
【００４７】
更なる実施の形態において、リモコン装置は、光検出器を介してチャレンジ情報を受信した後にペアリング・モードに入り、被遠隔制御装置による応答の照合のために通信チャネルを介して被遠隔制御装置へと応答情報を送り返し、被遠隔制御装置による応答の肯定的な照合の後に被遠隔制御装置とペアリングするように用意される。
【００４８】
リモコン装置の身元の照合は、被遠隔制御装置によって提供されるチャレンジに対するリモコン装置による応答が照合に失敗する場合、被遠隔制御装置への許可されていないアクセスを被遠隔制御装置が防止することを可能にする。被遠隔制御装置の光放射源及びリモコン装置の受信機を介してこのチャレンジを送信することによって、他の通信チャネルへのアクセスのみを有する場合に被遠隔制御装置への許可されていないアクセスを得ることは非常に困難となる。
【００４９】
本発明の被遠隔制御装置は、被遠隔制御装置識別子を用いてリモコン装置が通信チャネルを設定することを可能にするためにリモコン装置へと光放射源を通して被遠隔制御装置識別子を放射するように用意される。
【００５０】
光放射源及び光受信機を通して被遠隔制御装置識別子を送信することによって、無線接続のような他の通信チャネル上でのペアリングは、被遠隔制御装置識別子が受信されるために、リモコン装置が、ペアリングされるべき被遠隔制御装置に対して単に向けられさえすればよいので、単純化される。これは、どの装置がペアリングされるべきかの選択を直感的なものにする。リモコンの光受信機（例えばリモコン装置の正面に組み込まれるカメラ）が、限られた画角を有するので、この限られた角度の範囲内の装置によって放射される信号のみが受信され、リモコンが向けられた装置の被遠隔制御装置識別子のみが受信される。被遠隔制御装置識別子があることで、リモコン装置及び被遠隔制御装置がペアになることが可能である。ユーザはもはや、従来必要とされたように、ペアリングするために両方の装置のボタンを同時に操作する必要はない。
【００５１】
被遠隔制御装置の実施の形態において、被遠隔制御装置識別子は、一セットの被遠隔制御装置の中で固有のアドレスである。そのような固有のアドレスは、例えばMACアドレスである。それは、ペアリングが、非光学的な通信チャネル上で、適切な被遠隔制御装置に直接向けられることを可能にする。
【００５２】
実施の形態において、被遠隔制御装置は、被遠隔制御装置識別子を放射するときにペアリング・モードに入るように用意される。
【００５３】
被遠隔制御装置識別子が放射された時点でペアリング・モードに入ることによって、被遠隔制御装置は、更なるユーザ・インタラクションを伴わずに、リモコン装置とペアリングする準備ができている。
【００５４】
実施の形態において、被遠隔制御装置は、光放射源を介してリモコン装置にチャレンジ情報を送信し、応答の照合のために通信チャネルを介してリモコン装置から応答情報を受信するように用意される照合ユニットを含み、被遠隔制御装置は、肯定的な照合の後にペアリングにモードに入るように、さらに用意される。
【００５５】
リモコン装置の身元の照合は、被遠隔制御装置によって提供されるチャレンジに対するリモコン装置による応答が照合に失敗する場合に、被遠隔制御装置への許可されていないアクセスを被遠隔制御装置が防止することを可能にする。被遠隔制御装置の光放射源及びリモコン装置の受信機を介してこのチャレンジを送ることによって、他の通信チャネルに対するアクセスのみを有するときに、被遠隔制御装置への許可されていないアクセスを得ることが非常に難しくなる。
【図面の簡単な説明】
【００５６】
【図１】本発明によるシステムを示す図。
【図２】リモコン装置を示す図。
【図３】２つの被遠隔制御装置のうちの１つが視野中にあるリモコン装置を示す図。
【図４】広い視野を持ち、その視野中に２つの被遠隔制御装置があるリモコン装置を示す図。
【図５】被遠隔制御装置を示す図。
【図６】照合ユニットを有する被遠隔制御装置を示す図。
【発明を実施するための形態】
【００５７】
図1は、本発明によるシステムを示す。
【００５８】
システムは、被遠隔制御装置1及びリモコン装置5を含む。説明目的のために、一つのリモコン装置5及び一つの被遠隔制御装置1のみを備える最小限のシステムが示される。被遠隔制御装置1は、中央処理装置2、光放射源3及び通信インタフェース4を含む。リモコン装置5は、通信インタフェース6、光検出器7及びプロセッサ8を含む。被遠隔制御装置1は、光放射源3の出力の変調を介して、光信号を放射する。光信号を変調することによって、被遠隔制御装置は、被遠隔制御装置識別子(例えばその通信インタフェース4のMACアドレス)を送信する。これは、通信インタフェース4が通信インタフェース4のMACアドレスに基づいてネットワークの中で特定されることができるので、被遠隔制御装置1が、その通信インタフェース4を介して他の装置によって交信されることを可能にする。光放射源3がリモコン装置5の光検出器7の視野の中にあるので、リモコン装置5は、受信された光信号を復調し、被遠隔制御装置識別子を抽出することができる。被遠隔制御装置識別子が被遠隔制御装置1の通信インタフェース4のMACアドレスである場合、リモコン装置5のプロセッサ8は、MACアドレスを用いて通信チャネル9を介して被遠隔制御装置1と交信することができる。一旦被遠隔制御装置1が交信されると、リモコン装置5及び被遠隔制御装置1は、通信チャネル9上で通常のペアリング手順を実行することができる。被遠隔制御装置のMACアドレスが光信号を介して送信されるので、ユーザはもはや、どのリモコン装置がどの被遠隔制御装置とペアリングされる必要があるのかを指示するためにボタンを押す必要が無く、そのような指示は、ここでは、光放射源3がリモコン装置の光検出器7の視野10の中になるように、リモコン装置5を被遠隔制御装置1に向けるという形で行われる。オプションとして、リモコン装置5上の一つのボタン押圧が、選択を確認するために用いられることができる。ペアリング後、リモコン装置5及び被遠隔制御装置1は、例えばリモコン装置5から被遠隔制御装置1へのコマンドの送信のために通信チャネル9で通信する。光放射源3によって放射される光信号は、可視光であってもよいし、または、非可視光（例えば赤外線）であってもよい。光検出器は、単純なフォトトランジスタもしくはフォトダイオードに基づく検出器またはカメラであることができる。単純なフォトトランジスタまたはフォトダイオードの場合、光信号は電気信号に変換されて、そしてその電気信号は、被遠隔制御装置識別子を得るために復調される。カメラの場合、被遠隔制御装置識別子の抽出は、画像処理を用いて画像のシーケンスを分析することによって実行される。
【００５９】
図2は、リモコン装置を示す。
【００６０】
リモコン装置5は、プロセッサ8、カメラもしくは他の光検出器7、通信インタフェース6、キーボード11および/または動きセンサ12を含む。ユーザがリモコン装置5をある領域に向けたときに、その領域がカメラ/光検出器7の視野の中にあるように、カメラ/光検出器7は、リモコン装置の先端に設置される。したがって、リモコン装置5を例えば遠隔制御されることができるアンプに向けることによって、アンプはカメラ/光検出器の視野の中にあり、したがって、アンプに取り付けられた光放射源も視野の中にある。カメラ/光検出器7の観察角の適切な選択によって、一般的に一つの光放射源のみが視野の中にあるように、視野が選択されることができる。この選択は、単純なフォトトランジスタまたはフォトダイオードに基づく検出器の形の光検出器にとって、そのような検出器は、複数の光放射源が全て視野の中にある場合、それらを容易に区別することができないので、より重要である。カメラを用いる場合、視野の中の複数の被遠隔制御装置の複数の光放射源は、どの光信号が被遠隔制御装置識別子の抽出のために選択されるべきかに関するルールを適用することによって処理されることができる。例えば、カメラ7の視野の最も中央にある光放射源からの光信号が、更なる処理のために選択されることができる。その場合、選択された光信号放射源のまわりの領域のみが、カメラ7によって獲得された画像のシーケンスを処理することによって光信号から被遠隔制御装置識別子を導き出すために用いられる。
【００６１】
プロセッサ8は、カメラ7から獲得された画像のシーケンスを受信して、光信号を選択して、選択された光信号周辺の領域を定めて、経時的な、すなわち、複数の獲得された画像にわたる光信号中の変化を分析することによって獲得された画像のシーケンスを処理し、光信号中のこれらの変化を被遠隔制御装置識別子に変換する。プロセッサ8は、それから、読み出された被遠隔制御装置識別子を用いてアドレス指定を行うことによってそれが向けられた被遠隔制御装置に対して通信インタフェース6を介して通信チャネルを開く。一旦この通信チャネルが確立されると、リモコン装置5及び被遠隔制御装置はペアリング・プロセスを実行することができる。装置のペアリングは従来技術においてよく知られているが、従来技術では、装置は、通信チャネルを通して互いの存在及びアドレスを発見しなければならず、依然としてユーザが、ペアリングさせることを望む装置を示さなければならない。存在及びアドレス指定が、本発明においては、指向性経路である光学経路を通して取り扱われるので、ユーザが単に、リモコン装置とペアリングすることを望む被遠隔制御装置にリモコン装置を向けることが、ペアリングを制御する直感的な態様をもたらす。
【００６２】
コマンドの入力を可能にするために、キーボード11がプロセッサ8に接続される。完全に自動的なペアリングを実行する代わりに、リモコンのボタン押下が、ペアリングを開始するために用いられることができる。加えて、または代わりに、ジェスチャを用いるリモコンとして、動きセンサが、この目的のために用いられることができる。
【００６３】
第１リモコン装置から第２リモコン装置へとデータを複製するために、リモコン装置は、それらの通信インタフェースを介して通信する。一旦複製されると、第２リモコン装置は、さまざまな被遠隔制御装置とペアリングするための全ての情報を有し、または、ペアリング・メカニズムによっては、第１リモコン装置と区別がつかず、更なるペアリングをせずともそれ自体で機能することができる。
【００６４】
図3は、視野中に２つの被遠隔制御装置のうちの１つを有するリモコン装置を示す。
【００６５】
狭い視野を有するリモコン装置を用いて被遠隔制御装置を選択してそれとペアリングするメカニズムが、図3に基づいて説明される。
【００６６】
第１被遠隔制御装置1及び第２被遠隔制御装置13は、ペアリングのために利用可能である。リモコン装置5は、第１被遠隔制御装置1に向けられる。第１被遠隔制御装置1の光放射源3が、リモコン装置5の視野10の中にある。リモコン装置5の光検出器7は、したがって、光放射源3によって放射される光信号を観察することができる。リモコン装置5のプロセッサ8は、続いて、被遠隔制御装置識別子を読み出すために、被変調信号を復号する。被遠隔制御装置識別子は、リモコン装置が、通信ネットワークを通して第１被遠隔制御装置1をアドレス指定して、第１被遠隔制御装置1との通信チャネル9を確立して、ペアリング・プロセスを実行することを可能にする。第２被遠隔制御装置13の光放射源15は視野の中にないので、たとえそれが第１被遠隔制御装置1の近くにあるとしても、第２被遠隔制御装置13の被遠隔制御装置識別子は、リモコン装置5によって受信されない。したがって、限られた観察角は、明確な選択を可能にする。
【００６７】
図4は、広い視野を持ち、その視野中に２つの被遠隔制御装置を有するリモコン装置を示す。
【００６８】
広い視野を有するリモコン装置を使用して被遠隔制御装置を選択してそれとペアリングするメカニズムが、図3に基づいて説明される。第１被遠隔制御装置1及び第２被遠隔制御装置13が、ペアリングのために利用可能である。リモコン装置5が第１被遠隔制御装置1に向けられる。第１被遠隔制御装置1の光放射源3及び第２被遠隔制御装置13の光放射源15の両方ともリモコン装置5の視野17の中にある。リモコン装置5のカメラ7は、したがって、第１被遠隔制御装置1の光放射源3によって放射される光信号及び第２被遠隔制御装置13の光放射源15によって放射される光信号の両方を取得することができる。第１被遠隔制御装置1の光放射源3によって放射される光学信号がカメラ7の画像領域の中央に最も近く、一方、第２被遠隔制御装置13の光放射源15によって放射される光学信号は、中央から離れている。リモコン装置5のプロセッサ8は、続いて、画像領域の中央に最も近い光信号を選択し、被変調信号を復号して被遠隔制御装置識別子を読み出すために、獲得されたカメラ画像のシーケンスにおいて、その光信号が存在する領域を用いる。被遠隔制御装置識別子は、リモコン装置が、通信ネットワークを通して第１被遠隔制御装置1をアドレス指定して、第１被遠隔制御装置1との通信チャネル9を確立して、ペアリング・プロセスを実行することを可能にする。たとえ第２被遠隔制御装置13の光放射源15に由来する光信号が視野17の中にあるとしても、それはおそらくユーザがリモコン装置5を向けていた被遠隔制御装置ではない可能性が高いので、それは復号されない。このように、ペアリングは、確実に、そして直感的に実行されることができる。
【００６９】
図5は、被遠隔制御装置を示す。
【００７０】
被遠隔制御装置1は、中央処理装置2、光放射源3及び通信インタフェース4を含む。プロセッサ2は、MACアドレスのような被遠隔制御装置識別子が光信号の形で放射されるような態様で、光放射源3を制御して、光放射源3への信号を変調する。それが光信号であるので、信号は指向性であり、さらに、光信号が放射される空間に制限される。これは、被遠隔制御装置1と同じ空間中のリモコン装置にとってMACアドレスを見つけ出すことが非常に容易であり、その空間中にない他の被遠隔制御装置からの干渉がないことを保証する。同じことがネットワーク上で試みられる場合、ネットワーク中の全ての装置が見えてしまい、不必要に大きいリストからの選択が行われなければならない。光信号を用いることによって選択を空間に対して物理的に制限することは、選択負担を大いに低減する。
【００７１】
光信号を受信するリモコン装置は、光信号から読み出されたMACアドレスを用いて通信チャネル9を介して被遠隔制御装置1と交信することができる。このために、リモコン装置は、被遠隔制御装置1の通信インタフェース4のMACアドレスを用いる。それは、固有のアドレスであるので、被遠隔制御装置の明確なアドレス指定を可能にする。一旦被遠隔制御装置1と交信されると、リモコン装置5及び被遠隔制御装置1は通信チャネル9上で通常のペアリング手順を実行することができ、一旦ペアリングされると、リモコン装置5は被遠隔制御装置1にコマンドを送ることができる。
【００７２】
図6は、照合ユニットを有する被遠隔制御装置を示す。図5の被遠隔制御装置1に加えて、この実施の形態の被遠隔制御装置は、さらに、プロセッサ2に接続されるチャレンジ及び応答データベース18を含む。MACアドレスのような被遠隔制御装置識別子が光信号の形で放射されるというような態様で、プロセッサ2は光放射源3を制御して、光放射源3への信号を変調する。信号は、光信号であるので、指向性であり、更に、光信号が放射される空間に制限される。これは、被遠隔制御装置1と同じ空間中のリモコン装置にとってMACアドレスを見つけ出すことが非常に容易であり、その空間中にない他の被遠隔制御装置からの干渉がないことを保証する。同じことがネットワーク上で試みられる場合、ネットワーク中の全ての装置が見えてしまい、不必要に大きいリストからの選択が行われなければならない。光信号を用いることによって選択を空間に対して物理的に制限することは、選択負担を大いに低減する。
【００７３】
光信号を受信するリモコン装置は、光信号から読み出されたMACアドレスを用いて通信チャネル9を介して被遠隔制御装置1と交信することができる。このために、リモコン装置は、被遠隔制御装置1の通信インタフェース4のMACアドレスを用いる。それは、固有のアドレスであるので、被遠隔制御装置の明確なアドレス指定を可能にする。一旦被遠隔制御装置1が交信されると、被遠隔制御装置1は、リモコン装置へと、光放射源を介して、チャレンジ及び応答メモリ18から選択されるチャレンジを送信する。リモコン装置は、このチャレンジを受信し、そのプロセッサを使用して、応答を生成する。リモコン装置は、被遠隔制御装置1に通信チャネル9を介してチャレンジに対する応答を送信する。被遠隔制御装置1は、通信インタフェース4を介して応答を受信し、通信インタフェース4はプロセッサ2に受信された応答を提供する。プロセッサ2は、受信された応答と、選択され送信されたチャレンジの予想される応答とを比較する。受信された応答が予想された応答と一致する場合、ペアリング・プロセスが実行される。受信応答が予想された応答と一致しない場合、対現象は拒否される。
【００７４】
したがって、プロセッサ2と共にチャレンジ及び応答メモリ18が、照合ユニットを形成する。この照合ユニット2、18は、許可されたリモコン装置のみが被遠隔制御装置1を制御するために用いられることができることを保証する。リモコン装置は、予想された応答を生成することが可能であることが必要であるのみならず、被遠隔制御装置に向けられる必要があり、すなわち、チャレンジが、リモコン装置の視野中の光放射源に関してのみ光学的に受信されることができるので、被遠隔制御装置1が設置される空間にアクセスすることなくこのシステムをハッキングすることは、非常に難しい。
【００７５】
照合ユニット2, 18による照合を通過した後、リモコン装置5及び被遠隔制御装置1は、通信チャネル9上での通常のペアリング手順を実行することができ、一旦ペアリングされると、リモコン装置5は、被遠隔制御装置1にコマンドを送ることができる。
【図１】
2017522817.tif 000003
【図２】
2017522817.tif 000004
【図３】
2017522817.tif 000005
【図４】
2017522817.tif 000006
【図５】
2017522817.tif 000007
【図６】
2017522817.tif 000008
【国際調査報告】
2017522817.tif 000009
2017522817.tif 000010